(57)【特許請求の範囲】
【請求項１】
締付ボルトと第１締付スリーブとを含み、前記締付ボルトと前記第１締付スリーブとの間の座面が円錐形であるマルチディスククラッチ用円錐形ボルト連結装置であって；前記の第１締付スリーブが、第２の締付スリーブを担持しており、その第２の締付スリーブがカラーを有すると共に、締付リングと関連してディスクパケットを軸線方向に緊密に固定し、前記の２つの締付スリーブ間の座面が円筒形であること；そして前記締付ボルトと前記第１締付スリーブとが環状間隙を形成し、その環状間隙の幅が、円錐形ボルト連結装置の締付固定程度に比例することを特徴とする、マルチディスクシャフトクラッチ用円錐形ボルト連結装置。
【請求項２】
前記の第１締付スリーブが、その１端部にカラーを含み、そしてその反対側の端部に、前記ディスクパケットを軸線方向に締付ける雄ねじ及びナットを含み、そして前記の締付ボルトがその１端部にヘッドを含み、その反対側の端部に雌ねじ付孔及びボルトを含み、そしてそのボルトによって、前記第１締付スリーブを半径方向に拡げることができることを特徴とする、請求項１に記載の円錐形ボルト連結装置。
【請求項３】
前記のディスクパケットを軸線方向に締付けると共に、ボルトのヘッド用ステイを含むナットを更に含む、請求項１に記載の円錐形ボルト連結装置。
【請求項４】
外側に、直径方向に対向する縦溝を含み、前記のディスクパケットを軸線方向に締付けるナットを更に含む、請求項１に記載の円錐形ボルト連結装置。
【請求項５】
締付ボルトのヘッドが、その外側面において、２つの本質的に平行な平坦面を含むことを特徴とする、請求項１に記載の円錐形ボルト連結装置。
【発明の詳細な説明】
【０００１】
【発明の属する技術分野】
本発明は、締付ボルトと締付スリーブとを含み、それらの締付スリーブと前記締付ボルトとの間の座面が円錐形である、マルチディスクシャフトクラッチ用の円錐形ボルト連結装置に関する。
【０００２】
【従来の技術】
ＤＥ３４４３４８５Ｃ２号公報から、全スチール製シャフトたわみクラッチが公知である。このクラッチは、２個のクラッチ半分部分のそれぞれ用の連結用フランジを含むと共に、前記の２つの連結用フランジの間に位置し、その２つの連結用フランジから軸線方向に離れて位置するバネ弾力ディスクパケットリングを含む。前記のバネ弾力ディスクパケットは、一方又はもう一方の連結用フランジによって交互に、円周方向において、締付ボルトに連結される。ディスクパケットリングは、締付ボルトの締付スリーブ上に配置され、連結用フランジ及び締付リングの間で締付けられる。締付スリーブと個々の締付ボルトとの間の座面が円錐形であるので、ディスクパケットリング、締付リング、及び円錐形座面のそれぞれの軸線方向の寸法は、以下のように、相互に調整されている。すなわち、締付スリーブが、前記の円錐形座面によって、最初の締付の間に拡がるので、締付ボルトによる軸線方向への締付力の結果として、固定点において最初の軸線方向への締付力を受けるディスクパケットリングが、その座面において追加の最初の半径方向への締付力を受けるように、相互に調整されている。このシャフトクラッチは、実際の使用において性能が充分に証明されてきた。
【０００３】
【発明が解決しようとする課題】
本発明の課題は、連結用フランジとディスクパケット中の円筒形孔とを有する従来のマルチディスクシャフトクラッチにおいて、従来用いられてきた円筒状精密公差ボルト連結装置の代わりに設置することができ、セット締付固定程度を迅速に、しかも簡易に制御することができる円錐形ボルト連結装置を提供することにある。
【０００４】
【課題を解決するための手段】
前記の課題は、本明細書の冒頭に記載したタイプのマルチディスクシャフトクラッチ（継手）用の円錐形ボルト連結装置、すなわち、締付ボルトと第１締付スリーブとを含み、前記締付ボルトと前記第１締付スリーブとの間の座面が円錐形であるマルチディスクシャフトクラッチ用円錐形ボルト連結装置であって；前記の第１締付スリーブ（１０，１１０）が、第２の締付スリーブ（１１）を担持しており、その第２の締付スリーブがカラー（１８）を有すると共に、締付リング（１２）と関連してディスクパケット（６，７）を軸線方向に緊密に固定し、前記の２つの締付スリーブ（１０，１１０，１１）間の座面が円筒形であること；そして前記締付ボルト（８，８１）と前記第１締付スリーブ（１０，１１０）とが環状間隙（Ｓ）を形成し、その環状間隙の幅が、円錐形ボルト連結装置の締付固定程度に比例する、円錐形ボルト連結装置によって達成することができる。
【０００５】
【発明の実施の形態】
本発明の円錐形ボルト連結装置は、第２締付スリーブが存在することによって、前記のＤＥ３４４３４８５Ｃ２号公報から知られている全スチール製シャフトクラッチの円錐形ボルト連結装置の場合よりも、より正確にディスクパケットをセンタリングすることができる。前記締付ボルトと縮小スリーブとによって形成される環状間隙は、前記ボルト連結装置の正確で規定された締付を可能にする。このようにして、締付固定の程度を、迅速かつ明確に制御することができる。第２締付スリーブのディスクパケットに、締付リングによる、緊密な最初の締付が提供されると、更に有利である。それにより、ディスクの微細な運動のほとんどが除去される。
更に、前記締付モーメントの有意な縮小により、フランジに強い支持力が加わることが回避されるという利点が生じる。
【０００６】
本発明の円錐形ボルト連結装置の好ましい１つの実施態様においては、締付スリーブ（１０，１１０）が、その１端部にカラーを含み、そしてその反対側の端部に、ディスクパケットを軸線方向に締付けるナット（２０）と雄ねじ（１９）とを含んでいる。そして締付ボルト（８１）が、その１端部にヘッドを含み、そしてその反対側の端部に雌ねじ付孔（２３）とボルト（２２）とを含む。そのために前記締付スリーブ（１１０）を半径方向に拡げることができる。
この実施態様は、ディスクパケットの半径方向へのセンタリングと軸線方向への固定とを、別々に実施することができる点に特徴がある。こうして、製造工程における全ての許容差を補償しながら、最適の剛性を有するボルト締付点を得ることができる。
【０００７】
本発明の他の好ましい実施態様の円錐形ボルト連結装置は、前記のディスクパケットを軸線方向に締付けるナット（２０）を更に含み、そのナット（２０）は、ボルト（２２）のヘッド（２４）用ステイを含む。本発明の更に別な好ましい態様の円錐形ボルト連結装置は、前記のディスクパケットを軸線方向に締付けるナット（２０）を更に含み、そのナット（２０）は、その外側に、直径方向に対向する縦溝（２１）を含む。本発明の更に別な好ましい態様の円錐形ボルト連結装置では、締付ボルト（８１）のヘッドが、その外側面において、２つの本質的に平行な平坦面（２６）を含む。
【０００８】
以下、添付図面に沿って、本発明による若干の実施態様を詳細に説明する。
図１に示す全スチール製シャフトクラッチは、それぞれ連結用フランジ３，４を含む２個のクラッチ部分１，２を連結する。２個の連結用フランジ３，４の間に、軸から少し離れて、個々のディスクパケット６，７から構成されるバネ弾力ディスクパケットリング５がある。ディスクパケットリング５は、フランジ３，４の一方又はもう一方と交互に取り付けられる。
【０００９】
円錐形ボルト連結装置は、締付ボルト８、ボルトナット９、第１締付スリーブ１０、第２締付スリーブ１１、締付リング１２、及びスペーサ１３を含む。締付ボルト８は、円錐形シャフト１４及び円筒形ヘッド１５を含む。締付スリーブ１０は、円錐形孔１６を有し、締付ボルト８の円錐形シャフト１４上に取り付ける。締付スリーブ１０は、その外側に、円筒形ケース面を有する。更に、締付スリーブ１０は、円筒形カラー１７を備えている。円筒形カラー１７は、円筒形ボルトヘッド１５に面しており、締付ける前の状態では円筒形ボルトヘッド１５と共に環状間隙を形成する。
【００１０】
第２締付スリーブ１１は、締付スリーブ１０の前記円筒形カラーとは反対側の端部に配置してあり、円筒形孔を含む。従って、第２締付スリーブ１１は、締付スリーブ１０上を軸線方向に移動可能である。第２締付スリーブ１１も、その外側に円筒形ケース面を有する。更に、第２締付スリーブ１１は円筒状カラー１８を含み、その円筒形カラー１８は、締付リング１２と関連して、ディスクパケット２個に対して軸線方向に緊密な最初の締付を提供する。この効果を得るために、締付リング１２は円錐形孔を含んでおり、その円錐形孔は、締付スリーブ１１におけるカラー１８と反対側の端部とによって、その拡げられた状態において相互に作用する。図１に示すように、締付リング１２は、クラッチ部分２の連結用フランジ４に、直接支持されており、一方、締付スリーブ１１の端部は、連結用フランジ４の前方に遊隙（遊び）を有している。
【００１１】
第２締付スリーブ１１のカラー１８で、スペーサ１３を介して支持されているボルトナット９を締付けることにより、ディスクパケット６，７が軸線方向へ更に締付けられ、そして２個の締付スリーブ１０，１１が半径方向に更に拡げられる。こうして、フランジ孔中、及びディスクパケット孔中の両方の円筒形座面は、半径方向にセンタリングされ、従って、製造工程で発生する許容差は、弾性変形によって完全に補償される。最大の締付固定程度は、ボルトヘッド１５と締付スリーブヘッド１７との間の環状間隙Ｓによって規定される。正確な締付固定程度は、前記間隙の幅によって制御することができる。
【００１２】
図２〜図４に示した実施態様は、図１で示した態様と、特に、以下の点で異なる。すなわち、カラー１１７とは反対側位置の端部に雄ねじ１９を含む締付ボルト８１上に取り付けられている締付スリーブ１１０、及び；直径方向に対向する縦溝２１を外側に有し、そして前記雄ねじ１９上にネジ止めされるネジ山を有するナット２０を含む点で異なる。前記のナットによって、前記第２締付スリーブ１１と前記締付リング１２とによる最初の締付が提供され、ディスクパケット（図示せず）を、締付ボルト８１とは独立して軸線方向に締付けることができる。
【００１３】
更に、ボルトナットを用いる図１に示された実施態様と異なり、締付ボルト８１は、ボルト２２によって、締付スリーブ１１０中に引き込まれる。すなわち、締付ボルト８１は、雌ねじ付孔２３を含んでおり、その中にボルト２２がねじ込まれている。この場合、ボルト２２のヘッド２４は、肩部２５を有するナット２０において、ステイにより支持される。ボルト２２をねじ込む間に、締付ボルト８１を保持するために、ボルトヘッド１１５は、平行な２つの平坦面２６を含む。
【００１４】
図５に、第３の実施態様を示す。この態様は、図２に示した態様から、単に、ナットが肩部を有していないこと、及びボルト２２のヘッドが、締付スリーブ１１０の前面で直接支持されていることを変更しただけである。
【図面の簡単な説明】
【図１】本発明の円錐形ボルト連結装置を含んだ全スチール製シャフトクラッチの上半分部分の側面図であり、長さ方向を断面で示し、横方向を省略している。また、ボルト連結装置の長さ方向の軸より上側では、締付前の締付ボルトの位置を示し、前記長さ方向の軸より下側では、締付後の締付ボルトの位置を示す。
【図２】本発明による円錐形ボルト連結装置の第２の実施態様の長さ方向の断面図である。
【図３】図２の円錐形ボルト連結装置の締付ボルトヘッドの正面図である。
【図４】図２の円錐形ボルト連結装置の（前記締付ボルトヘッドの反対側端部に位置する）端部の正面図である。
【図５】第３の実施態様の長さ方向の断面図である。
【符号の説明】
１・・・継手部分；２・・・もう一方の継手部分；
３，４・・・連結用フランジ；５・・・ディスクパケットリング；
６，７・・・ディスクパケット；８・・・締付ボルト；
９・・・ボルトナット；１０・・・第１締付スリーブ；
１１・・・第２締付スリーブ；１２・・・締付リング；１３・・・スペーサ；
１４・・・円錐形ボルトシャフト；１５・・・ボルトヘッド；
１６・・・円錐形孔；１７，１８・・・カラー；１９・・・雄ねじ；
２０・・・ナット；２１・・・縦溝；２２・・・ボルト；
２３・・・雌ねじ付孔；２４・・・ボルトヘッド；２５・・・肩部；
２６・・・平坦面；８１・・・締付ボルト；１１０・・・締付スリーブ；
１１５・・・ボルトヘッド；１１７・・・カラー；１２０・・・ナット。
【図１】
0004093615.tif 000002
【図２】
0004093615.tif 000003
【図３】
0004093615.tif 000004
【図４】
0004093615.tif 000005
【図５】
0004093615.tif 000006